(57)【特許請求の範囲】
【請求項１】
アンモニア含有排水を複数の排水処理槽で処理する排水処理方法であって、
前記アンモニア含有排水を処理した排水処理水のＣＯＤ濃度を測定し、該ＣＯＤ濃度が停止基準値を超えたときに排水処理水の排出を停止した後、前記アンモニア含有排水を処理する全ての排水処理槽に塩素系殺菌剤を投入し、前記アンモニア含有排水中の亜硝酸菌を殺菌して、排水処理水のＣＯＤ濃度が排出基準値を下回った後に該排水処理水を排出すると共に、
排出された排水処理水を貯留して残留塩素を取り除き、この排水処理水の残留塩素濃度を測定し、該残留塩素濃度が排出基準値を下回った後に貯留した排水処理水を排出するようにした排水処理方法。
【請求項２】
前記塩素系殺菌剤がさらし粉である請求項１に記載の排水処理方法。
【請求項３】
２〜３ｍｇ／ｌの残留塩素で前記アンモニア含有排水中の亜硝酸菌を殺菌するようにした請求項１又は２に記載の排水処理方法。
【請求項４】
アンモニア含有排水を複数の排水処理槽で処理する排水処理装置であって、
前記アンモニア含有排水を処理した排水処理水のＣＯＤ濃度を測定するＣＯＤ測定手段と、該ＣＯＤ濃度が停止基準値を超えたときに排水処理水の排出を停止する排出停止手段と、前記アンモニア含有排水を処理する全ての排水処理槽に塩素系殺菌剤を投入して前記アンモニア含有排水中の亜硝酸菌を殺菌する殺菌手段と、排水処理水のＣＯＤ濃度が排出基準値を下回った後に該排水処理水を排出する排出再開手段と、を有し、
前記排出再開手段が、前記排水処理水の残留塩素を取り除く脱塩素手段と、該排水処理水の残留塩素濃度を測定する残留塩素濃度測定手段とを備え、該残留塩素濃度が排出基準値を下回った後に前記排水処理水を排出するようにした排水処理装置。
【請求項５】
前記塩素系殺菌剤がさらし粉である請求項４に記載の排水処理装置。
【請求項６】
前記殺菌手段が、２〜３ｍｇ／ｌの残留塩素で前記アンモニア含有排水中の亜硝酸菌を殺菌するようにした請求項４又は５に記載の排水処理装置。
【発明の詳細な説明】
【技術分野】
【０００１】
本発明は、アンモニア含有排水の処理過程で発生する亜硝酸を抑制する排水処理方法及び排水処理装置に関する。
【背景技術】
【０００２】
アンモニア含有排水は、火力発電所の排煙脱硫装置、復水脱塩装置等から灰処理排水や復水脱塩装置再生排水として排出されている。この排水に含まれるアンモニア（ＮＨ４）は、亜硝酸菌により酸化されると亜硝酸（ＮＯ２）を生成する。亜硝酸は、酸素（Ｏ２）を取る力がとても強く、排水のＣＯＤ（化学的酸素要求量）濃度を上昇させる一因となっている。このため、アンモニア含有排水を処理する排水処理槽内で亜硝酸菌が増殖すると、排出される排水のＣＯＤ濃度が急上昇し、周辺海域に影響を及ぼす恐れがあった。
従来、排水中のＣＯＤ濃度及びＮＨ４−Ｎ濃度を測定し、その比に応じて生物ろ過槽における曝気量を制御して亜硝酸濃度を抑制する排水処理方法は知られている（例えば、特許文献１参照）。
【０００３】
【特許文献１】特開２００３−２２５６９３号公報
【発明の開示】
【発明が解決しようとする課題】
【０００４】
しかし、従来の排水処理方法では、亜硝酸の処理のために特別な設備を要するのみならず、亜硝酸菌の増殖によるＣＯＤ濃度の急上昇に対応することができないという課題があった。このため、ＣＯＤ濃度の急上昇時には、ＣＯＤ濃度が基準値以下になるまで排水を希釈して排出する措置が取られていた。
そこで、本発明は、ＣＯＤ濃度が基準値を超えた排水処理水を公共海域に排出するのを阻止することができると共に、排水処理水のＣＯＤ濃度を短期間に低下させて排水処理水を排出することができる排水処理方法及び排水処理装置を提供するものである。
【課題を解決するための手段】
【０００５】
本発明は、上記課題を解決するために、アンモニア含有排水を処理する排水処理方法であって、前記アンモニア含有排水を処理した排水処理水のＣＯＤ濃度を測定し、該ＣＯＤ濃度が停止基準値を超えたときに排水処理水の排出を停止した後、前記アンモニア含有排水を処理する排水処理槽に塩素系殺菌剤を投入し、前記アンモニア含有排水中の亜硝酸菌を殺菌して、排水処理水のＣＯＤ濃度が排出基準値を下回った後に該排水処理水を排出するようにした排水処理方法を提供するものである。
【０００６】
また、本発明は、前記排水処理水の残留塩素濃度を測定し、該残留塩素濃度が排出基準値を下回った後に前記排水処理水を排出するようにした請求項１に記載の排水処理方法を提供するものである。
【０００７】
また、本発明は、前記塩素系殺菌剤がさらし粉である請求項１又は２に記載の排水処理方法を提供するものである。
【０００８】
また、本発明は、２〜３ｍｇ／ｌの残留塩素で前記アンモニア含有排水中の亜硝酸菌を殺菌するようにした請求項１乃至３の何れかに記載の排水処理方法を提供するものである。
【０００９】
また、本発明は、アンモニア含有排水を処理する排水処理装置であって、前記アンモニア含有排水を処理した排水処理水のＣＯＤ濃度を測定するＣＯＤ測定手段と、該ＣＯＤ濃度が停止基準値を超えたときに排水処理水の排出を停止する排出停止手段と、前記アンモニア含有排水を処理する排水処理槽に塩素系殺菌剤を投入して前記アンモニア含有排水中の亜硝酸菌を殺菌する殺菌手段と、排水処理水のＣＯＤ濃度が排出基準値を下回った後に該排水処理水を排出する排出再開手段とからなる排水処理装置を提供するものである。
【００１０】
また、本発明は、前記排出再開手段が、前記排水処理水の残留塩素を取り除く脱塩素手段と、該排水処理水の残留塩素濃度を測定する残留塩素濃度測定手段とを備え、該残留塩素濃度が排出基準値を下回った後に前記排水処理水を排出するようにした請求項５に記載の排水処理装置を提供するものである。
【００１１】
また、本発明は、前記塩素系殺菌剤がさらし粉である請求項５又は６に記載の排水処理装置を提供するものである。
【００１２】
また、本発明は、前記殺菌手段が、２〜３ｍｇ／ｌの残留塩素で前記アンモニア含有排水中の亜硝酸菌を殺菌するようにした請求項５乃至７の何れかに記載の排水処理装置を提供するものである。
【発明の効果】
【００１３】
本発明に係る排水処理方法によれば、アンモニア含有排水を処理する排水処理方法であって、前記アンモニア含有排水を処理した排水処理水のＣＯＤ濃度を測定し、該ＣＯＤ濃度が停止基準値を超えたときに排水処理水の排出を停止した後、前記アンモニア含有排水を処理する排水処理槽に塩素系殺菌剤を投入し、前記アンモニア含有排水中の亜硝酸菌を殺菌して、排水処理水のＣＯＤ濃度が排出基準値を下回った後に該排水処理水を排出するようにした構成を有することにより、ＣＯＤ濃度が停止基準値を超えた排水処理水を公共海域に排出するのを阻止することができると共に、アンモニア含有排水中に増殖した亜硝酸菌を殺菌処理して、排水中のアンモニアが亜硝酸菌によって酸化されて亜硝酸を生成するのを阻止することができ、排水処理水のＣＯＤ濃度を短期間に低下させて排水処理水を排出することができる効果がある。
【００１４】
また、本発明は、前記排水処理水の残留塩素濃度を測定し、該残留塩素濃度が排出基準値を下回った後に前記排水処理水を排出するようにした請求項１に記載の構成を有することにより、排水処理水中の残留塩素を周辺海域の生物に影響を及ぼさない濃度まで低減させて排出することができる効果がある。
【００１５】
また、本発明は、前記塩素系殺菌剤がさらし粉である請求項１又は２に記載の構成を有することにより、さらし粉は保管し易く、排水処理槽へ簡単且つ安全に投入することができ、迅速に亜硝酸菌を殺菌することができる効果がある。
【００１６】
また、本発明は、２〜３ｍｇ／ｌの残留塩素で前記アンモニア含有排水中の亜硝酸菌を殺菌するようにした請求項１乃至３の何れかに記載の構成を有することにより、アンモニア含有排水中の亜硝酸菌を迅速に殺菌することができると共に、排水処理水中の残留塩素も短期間で低減することができる効果がある。
【００１７】
また、本発明に係る排水処理装置によれば、アンモニア含有排水を処理する排水処理装置であって、前記アンモニア含有排水を処理した排水処理水のＣＯＤ濃度を測定するＣＯＤ測定手段と、該ＣＯＤ濃度が停止基準値を超えたときに排水処理水の排出を停止する排出停止手段と、前記アンモニア含有排水を処理する排水処理槽に塩素系殺菌剤を投入して前記アンモニア含有排水中の亜硝酸菌を殺菌する殺菌手段と、排水処理水のＣＯＤ濃度が排出基準値を下回った後に該排水処理水を排出する排出再開手段とからなる構成を有することにより、ＣＯＤ濃度が停止基準値を超えた排水処理水を公共海域に排出するのを阻止することができると共に、アンモニア含有排水中に増殖した亜硝酸菌を殺菌処理して、排水中のアンモニアが亜硝酸菌によって酸化されて亜硝酸を生成するのを阻止することができ、排水処理水のＣＯＤ濃度を短期間に低下させて排水処理水を排出することができる効果がある。
【００１８】
また、本発明は、前記排出再開手段が、前記排水処理水の残留塩素を取り除く脱塩素手段と、該排水処理水の残留塩素濃度を測定する残留塩素濃度測定手段とを備え、該残留塩素濃度が排出基準値を下回った後に前記排水処理水を排出するようにした請求項５に記載の構成を有することにより、排水処理水中の残留塩素を周辺海域の生物に影響を及ぼさない濃度まで取り除いて排出することができる効果がある。
【００１９】
また、本発明は、前記塩素系殺菌剤がさらし粉である請求項５又は６に記載の構成を有することにより、さらし粉は保管し易く、排水処理槽へ簡単且つ安全に投入することができ、迅速に亜硝酸菌を殺菌することができる効果がある。
【００２０】
また、本発明は、前記殺菌手段が、２〜３ｍｇ／ｌの残留塩素で前記アンモニア含有排水中の亜硝酸菌を殺菌するようにした請求項５乃至７の何れかに記載の構成を有することにより、アンモニア含有排水中の亜硝酸菌を迅速に殺菌することができると共に、排水処理水中の残留塩素も短期間で低減することができる効果がある。
【発明を実施するための最良の形態】
【００２１】
本発明の実施の形態を図示する実施例に基づいて説明する。
本発明に係る排水処理装置は、アンモニア含有排水を処理した排水処理水のＣＯＤ濃度を測定するＣＯＤ測定手段１１と、該ＣＯＤ濃度が停止基準値を超えたときに排水処理水の排出を停止する排出停止手段１２と、前記アンモニア含有排水を処理する排水処理槽に塩素系殺菌剤を投入して前記アンモニア含有排水中の亜硝酸菌を殺菌する殺菌手段１４と、排水処理水のＣＯＤ濃度が排出基準値を下回った後に該排水処理水を排出する排出再開手段１７とから構成してある。
【実施例１】
【００２２】
図２に示す実施例において、１０は、火力発電所の排煙脱硫装置、復水脱塩装置等から灰処理排水や復水脱塩装置再生排水として排出されるアンモニア含有排水を処理する排水処理装置であって、貯水槽１、第一ＰＨ調整槽２、還元槽３、第二ＰＨ調整槽４、アルカリ沈殿槽５、中和槽６、凝集沈殿槽７、第三ＰＨ調整槽８、中和槽処理水槽９の排水処理槽から構成してある。
【００２３】
図１及び図２に示す実施例において、ＣＯＤ測定手段１１は、排水処理装置１０によって処理された排水処理水が排出される中和槽処理水槽９の排出口付近にＣＯＤ濃度計２１を設けてあり、排出される排水処理水のＣＯＤ（化学的酸素要求量）濃度を常時又は定時に測定し、記録することができるように構成してある。
【００２４】
排出停止手段１２は、中和槽処理水槽９の排出口に設けたモーター駆動の排出弁２３からなり、ＣＯＤ濃度計２１の測定値が停止基準値を超えたときに、排出弁２３を全閉して排水処理水の排出を停止することができるように構成してある。また、排出再開手段１７は、ＣＯＤ濃度計２１の測定値が排出基準値を下回ったときに、排出弁２３を開いて排水処理水を排出することができるようにしてある。
【００２５】
殺菌手段１４は、貯水槽１、第一ＰＨ調整槽２、還元槽３、第二ＰＨ調整槽４、アルカリ沈殿槽５、中和槽６、凝集沈殿槽７、第三ＰＨ調整槽８、中和槽処理水槽９の全ての排水処理槽に、各排水処理槽の容量に応じて所定量のさらし粉を投入するさらし粉投入手段１３を備えている。また、殺菌手段１４は、さらし粉投入手段１３によって各排水処理槽にさらし粉を投入した後、凝集沈殿槽７のみ攪拌し、他の排水処理槽は静置して排水中の亜硝酸菌の殺菌処理を行うようにしてある。
図示の実施例の場合、さらし粉投入手段１３は、各排水処理槽に容量６０ｍ３当たり２ｋｇのさらし粉を投入するようにしてあり、２〜３ｍｇ／ｌの残留塩素でアンモニア含有排水中の亜硝酸菌を殺菌することができるようにしてある。
【００２６】
また、本発明に係る排水処理装置は、排水処理水の残留塩素を取り除く脱塩素手段１５と、該排水処理水の残留塩素濃度を測定する残留塩素濃度測定手段１６とを備えている。図２に示すように、脱塩素手段１５は、殺菌手段１４によって殺菌処理され、中和槽処理水槽９から排出された排水処理水を貯留する沈殿池２０からなり、排水処理水を貯留して残留塩素を取り除くことができるようにしてある。残留塩素濃度測定手段１６は、沈殿池２０の排出口付近に塩素濃度計２２を設けてあり、排水処理水の残留塩素濃度を常時又は定時に測定し、記録することができるように構成してある。
【００２７】
図１及び図２に示す実施例において、排出再開手段１７は、沈殿池２０の排出口にモーター駆動の排出弁２４を設けてあり、塩素濃度計２２の測定値が排出基準値を下回ったときに、排出弁２４を開いて沈殿池２０内に貯留した排水処理水を公共海域に排出することができるように構成してある。
【００２８】
次に、本発明に係る排水処理装置の作用について説明する。
ＣＯＤ測定手段１１は、ＣＯＤ濃度計２１によって排水処理水のＣＯＤ濃度を常時又は定時に測定し、ＣＯＤ濃度計２１の測定値が停止基準値を超えたときに、排出停止手段１２が排出弁２３を全閉して排水処理水の排出を停止する。
殺菌手段１４は、排出弁２３の全閉を確認後、さらし粉投入手段１３によって各排水処理槽にさらし粉を投入し、各排水処理槽の排水中の亜硝酸菌を殺菌処理する。排出再開手段１７は、殺菌処理によりＣＯＤ濃度計２１の測定値が排出基準値を下回ったときに、排出弁２３を開いて排水処理水を沈殿池２０に移して貯留する。このとき、沈殿池２０の排出弁２４は全閉にしておく。
【００２９】
脱塩素手段１５は、中和槽処理水槽９から排出された排水処理水を貯留して残留塩素を取り除き、塩素濃度計２２の測定値が排出基準値を下回ったときに、排出再開手段１７が排出弁２４を開いて沈殿池２０内に貯留した排水処理水を公共海域に排出する。
実施例において、ＣＯＤの排出基準値は、停止基準値よりも低く設定してあり、排水処理水の排出再開後にＣＯＤ濃度が停止基準値を超えないようにしてある。
【図面の簡単な説明】
【００３０】
【図１】本発明に係る排水処理方法の一実施例を示す流れ図。
【図２】本発明に係る排水処理装置の一実施例を示す構成図。
【符号の説明】
【００３１】
１  貯水槽
２  第一ＰＨ調整槽
３  還元槽
４  第二ＰＨ調整槽
５  アルカリ沈殿槽
６  中和槽
７  凝集沈殿槽
８  第三ＰＨ調整槽
９  中和槽処理水槽
１０  排水処理装置
１１  ＣＯＤ測定手段
１２  排出停止手段
１３  殺菌剤投入手段
１４  殺菌手段
１５  脱塩素手段
１６  残留塩素濃度測定手段
１７  排出再開手段
２０  沈殿池
２１  ＣＯＤ濃度計
２２  塩素濃度計
２３，２４  排出弁
【図１】
0004832032.tif 000002
【図２】
0004832032.tif 000003